【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
１以上のシーンからなる動画像データを検索するための検索情報を生成する動画像検索情報生成装置であって、
前記動画像データに基づいて、前記シーンの各々に対応して検索情報を生成する検索情報生成部を備え、
前記検索情報生成部は、前記シーンの各々について、当該シーンを空間的に分割することにより、時間方向には当該シーンの長さを持った複数の空間分割ブロックを構成し、この空間分割ブロック単位の要約情報を生成するための第１の要約情報生成手段を含み、
前記要約情報は、前記空間分割ブロック内の動画像データに基づいて算出される画像特性を示した数値情報であって、当該シーン内での相対値で与えられる、動画像検索情報生成装置。
【請求項２】
前記シーンの各々は、連続する動画像データが時間軸上で分割されたものであり、
前記シーンの各々の前記動画像データ中の位置を表わす動画像構造情報を出力する動画像構造情報出力部をさらに備え、
前記検索情報生成部は、前記動画像構造情報と前記動画像データとに基づいて、前記シーンの各々に対応した検索情報を生成する、請求項１に記載の動画像検索情報生成装置。
【請求項３】
前記第１の要約情報生成手段は、前記シーンを空間的に分割する際に、空間方向に定義される２つの方向において予め定める数に分割することを特徴とする、請求項１に記載の動画像検索情報生成装置。
【請求項４】
前記第１の要約情報生成手段は、前記シーンを空間的に分割する際に、予め定める２のべき乗数に分割することを特徴とする、請求項１に記載の動画像検索情報生成装置。
【請求項５】
前記検索情報生成部はさらに、前記シーンの各々について、当該シーンを時間的に分割することにより、空間方向には当該シーンの画像サイズを持った複数の時間分割ブロックを構成し、この時間分割ブロック単位の要約情報を生成するための第２の要約情報生成手段を含む、請求項１に記載の動画像検索情報生成装置。
【請求項６】
前記検索情報生成部はさらに、前記シーンの各々について、当該シーン全体の要約情報を生成するための第３の要約情報生成手段を含む、請求項５に記載の動画像検索情報生成装置。
【請求項７】
前記検索情報生成部はさらに、前記シーンの各々について、当該シーンを時間的に分割することにより、空間方向には当該シーンの画像サイズを持った複数の時間分割ブロックを構成し、この時間分割ブロック単位の要約情報を生成するための第２の要約情報生成手段を含む、請求項３または４に記載の動画像検索情報生成装置。
【請求項８】
前記検索情報生成部はさらに、前記シーンの各々について、当該シーン全体の要約情報を生成するための第３の要約情報生成手段を含む、請求項７に記載の動画像検索情報生成装置。
【請求項９】
前記検索情報生成部はさらに、前記シーンの各々について、当該シーン全体の要約情報を生成するための第３の要約情報生成手段を含む、請求項１、３および４のいずれかに記載の動画像検索情報生成装置。
【請求項１０】
１以上のシーンからなる動画像データを検索するための検索情報を生成する動画像検索情報生成装置であって、
前記動画像データに基づいて、前記シーンの各々に対応して検索情報を生成する検索情報生成部を備え、
前記検索情報生成部は、前記シーンの各々について、当該シーンを構成する複数のフレームの各々を同一の方法で複数のブロックに分割し、前記複数のフレームの対応する位置にある複数の前記ブロックを集めて前記シーンに対する複数の空間分割ブロックを形成し、この空間分割ブロック単位の要約情報を生成するための第１の要約情報生成手段を含む、動画像検索情報生成装置。
【請求項１１】
前記第１の要約情報生成手段は、前記フレームを前記複数のブロックに分割する際に、空間方向に定義される２つの方向において予め定める数に分割することを特徴とする、請求項１０に記載の動画像検索情報生成装置。
【請求項１２】
前記第１の要約情報生成手段は、前記フレームを前記複数のブロックに分割する際に、予め定める２のべき乗数に分割することを特徴とする、請求項１０に記載の動画像検索情報生成装置。
【請求項１３】
１以上のシーンからなる動画像データの要約情報を生成する動画像要約情報生成装置であって、
前記シーンの各々について、当該シーンを空間的に分割することにより、時間方向には当該シーンの長さを持った複数の空間分割ブロックを構成し、この空間分割ブロック単位の要約情報を生成するための第１の要約情報生成手段を備え、
前記要約情報は、前記空間分割ブロック内の動画像データに基づいて算出される画像特性を示した数値情報であって、当該シーン内での相対値で与えられる、動画像要約情報生成装置。
【請求項１４】
前記第１の要約情報生成手段は、前記シーンを空間的に分割する際に、空間方向に定義される２つの方向において予め定める数に分割することを特徴とする、請求項１３に記載の動画像要約情報生成装置。
【請求項１５】
前記第１の要約情報生成手段は、前記シーンを空間的に分割する際に、予め定める２のべき乗数に分割することを特徴とする、請求項１３に記載の動画像要約情報生成装置。
【請求項１６】
前記シーンの各々について、当該シーンを時間的に分割することにより、空間方向には当該シーンの画像サイズを持った複数の時間分割ブロックを構成し、この時間分割ブロック単位の要約情報を生成するための第２の要約情報生成手段をさらに備える、請求項１３に記載の動画像要約情報生成装置。
【請求項１７】
前記シーンの各々について、当該シーン全体を単位とする要約情報を生成するための第３の要約情報生成手段をさらに備える、請求項１３〜１６のいずれかに記載の動画像要約情報生成装置。
【請求項１８】
１以上のシーンからなる動画像データの要約情報を生成する動画像要約情報生成装置であって、
前記シーンの各々について、当該シーンを構成する複数のフレームの各々を同一の方法で複数のブロックに分割し、前記複数のフレームの対応する位置にある複数の前記ブロックを集めて前記シーンに対する複数の空間分割ブロックを形成し、この空間分割ブロック単位の要約情報を生成するための第１の要約情報生成手段を備える、動画像要約情報生成装置。
【請求項１９】
前記第１の要約情報生成手段は、前記フレームを前記複数のブロックに分割する際に、空間方向に定義される２つの方向において予め定める数に分割することを特徴とする、請求項１８に記載の動画像要約情報生成装置。
【請求項２０】
前記第１の要約情報生成手段は、前記フレームを前記複数のブロックに分割する際に、予め定める２のべき乗数に分割することを特徴とする、請求項１８に記載の動画像要約情報生成装置。
【請求項２１】
動画像データを構成する１以上のシーンの各々について、当該シーンを空間的に分割することにより得られる、時間方向には当該シーンの長さを持った複数の空間分割ブロックを単位とする要約情報であって、前記空間分割ブロック内の動画像データに基づいて算出される画像特性を示した数値情報であり、かつ当該シーン内での相対値で与えられる前記空間分割ブロック単位の要約情報を、前記空間分割ブロックの分割数を表わす指定情報とともに格納することを特徴とする、動画像要約情報格納フォーマット。
【請求項２２】
前記分割数は、空間方向に定義される２つの方向において予め定まる数であることを特徴とする、請求項２１に記載の動画像要約情報格納フォーマット。
【請求項２３】
前記分割数は、予め定まる２のべき乗数であることを特徴とする、請求項２１に記載の動画像要約情報格納フォーマット。
【請求項２４】
前記シーンの各々について、当該シーン全体を単位とする要約情報を格納することを特徴とする、請求項２１〜２３のいずれかに記載の動画像要約情報格納フォーマット。
【手続補正２】
【補正対象書類名】明細書
【補正対象項目名】発明の名称
【補正方法】変更
【補正の内容】
【発明の名称】動画像検索情報生成装置、動画像要約情報生成装置、および動画像要約情報格納フォーマット
【手続補正３】
【補正対象書類名】明細書
【補正対象項目名】０００１
【補正方法】変更
【補正の内容】
【０００１】
本発明は、動画像を検索するための情報を生成する装置（動画像検索情報生成装置）、動画像の要約情報を生成する装置（動画像要約情報生成装置）、および動画像の要約情報を格納する格納フォーマット（動画像要約情報格納フォーマット）に関し、より詳細には、動画像を構成する複数個のシーンの中から、所望のシーンを効率的に検索して取出すことを可能とする動画像検索情報生成装置、動画像要約情報生成装置、および動画像要約情報格納フォーマットに関する。
【手続補正４】
【補正対象書類名】明細書
【補正対象項目名】００３４
【補正方法】変更
【補正の内容】
【００３４】
本発明の他の目的は、シーンを時間的なブロックに分割してその特徴を抽出するだけでなく、シーンを、時間軸上では分割せず、空間的にのみ分割してシーンの別の特徴を抽出することにより、動画像の検索を効率的に行なうことを可能とする、動画像検索情報生成装置、動画像要約情報生成装置、および動画像要約情報格納フォーマットを提供することである。
【手続補正５】
【補正対象書類名】明細書
【補正対象項目名】００３５
【補正方法】変更
【補正の内容】
【００３５】
本発明のさらに他の目的は、シーンの特徴を的確に表わす新たな指標を用いて動画像の検索を効率的に行なうことが可能で、かつ検索のための情報の情報量が少なくて済む、動画像検索情報生成装置、動画像要約情報生成装置、および動画像要約情報格納フォーマットを提供することである。
【手続補正６】
【補正対象書類名】明細書
【補正対象項目名】００３６
【補正方法】変更
【補正の内容】
【００３６】
上記目的を達成するために、本発明のある局面に従うと、動画像検索情報生成装置は、１以上のシーンからなる動画像データを検索するための検索情報を生成する動画像検索情報生成装置であって、動画像データに基づいて、シーンの各々に対応して検索情報を生成する検索情報生成部を備え、検索情報生成部は、シーンの各々について、当該シーンを空間的に分割することにより、時間方向には当該シーンの長さを持った複数の空間分割ブロックを構成し、この空間分割ブロック単位の要約情報を生成するための第１の要約情報生成手段を含む。さらに、上記要約情報は、空間分割ブロック内の動画像データに基づいて算出される画像特性を示した数値情報であって、当該シーン内での相対値で与えられる。
【手続補正７】
【補正対象書類名】明細書
【補正対象項目名】００４２
【補正方法】変更
【補正の内容】
【００４２】
本発明の他の局面に従うと、動画像検索情報生成装置は、１以上のシーンからなる動画像データを検索するための検索情報を生成する動画像検索情報生成装置であって、動画像データに基づいて、シーンの各々に対応して検索情報を生成する検索情報生成部を備え、検索情報生成部は、シーンの各々について、当該シーンを構成する複数のフレームの各々を同一の方法で複数のブロックに分割し、複数のフレームの対応する位置にある複数のブロックを集めてシーンに対する複数の空間分割ブロックを形成し、この空間分割ブロック単位の要約情報を生成するための第１の要約情報生成手段を含む。
また、第１の要約情報生成手段は、フレームを複数のブロックに分割する際に、空間方向に定義される２つの方向において予め定める数に分割することが好ましい。
または、第１の要約情報生成手段は、フレームを複数のブロックに分割する際に、予め定める２のべき乗数に分割することが好ましい。
本発明のさらに他の局面に従うと、動画像要約情報生成装置は、１以上のシーンからなる動画像データの要約情報を生成する動画像要約情報生成装置であって、シーンの各々について、当該シーンを空間的に分割することにより、時間方向には当該シーンの長さを持った複数の空間分割ブロックを構成し、この空間分割ブロック単位の要約情報を生成するための第１の要約情報生成手段を備える。さらに、上記要約情報は、空間分割ブロック内の動画像データに基づいて算出される画像特性を示した数値情報であって、当該シーン内での相対値で与えられる。
【手続補正８】
【補正対象書類名】明細書
【補正対象項目名】００５３
【補正方法】変更
【補正の内容】
【００５３】
本発明のさらに他の局面に従うと、動画像要約情報生成装置は、１以上のシーンからなる動画像データの要約情報を生成する動画像要約情報生成装置であって、シーンの各々について、当該シーンを構成する複数のフレームの各々を同一の方法で複数のブロックに分割し、複数のフレームの対応する位置にある複数のブロックを集めてシーンに対する複数の空間分割ブロックを形成し、この空間分割ブロック単位の要約情報を生成するための第１の要約情報生成手段を備える。
また、第１の要約情報生成手段は、フレームを複数のブロックに分割する際に、空間方向に定義される２つの方向において予め定める数に分割することが好ましい。
または、第１の要約情報生成手段は、フレームを複数のブロックに分割する際に、予め定める２のべき乗数に分割することが好ましい。
本発明のさらに他の局面に従うと、動画像要約情報格納フォーマットは、動画像データを構成する１以上のシーンの各々について、当該シーンを空間的に分割することにより得られる、時間方向には当該シーンの長さを持った複数の空間分割ブロックを単位とする要約情報であって、空間分割ブロック内の動画像データに基づいて算出される画像特性を示した数値情報であり、かつ当該シーン内での相対値で与えられる空間分割ブロック単位の要約情報を、空間分割ブロックの分割数を表わす指定情報とともに格納することを特徴とする。